(57)【要約】【課題】液冷式のインタークーラや凝縮器を備える車両において、簡易な構成で効率的なエネルギマネジメントが可能な車両用冷却装置を提供する。【解決手段】車両用冷却装置は、過給機により過給される吸気がインタークーラにより冷却されるエンジンを有する車両に搭載され、ランキンサイクル回路と、該ランキンサイクル回路において作動流体が流れる主流路から前記インタークーラに分岐するように構成された分岐流路とを備える。インタークーラは、分岐流路を介して導入された作動流体と吸気とを熱交換することにより吸気を冷却するように構成されている。【選択図】図１
2017101566.tif 000002
【特許請求の範囲】
【請求項１】
過給機により過給される吸気をインタークーラで冷却するエンジンを有する車両に搭載される車両用冷却装置であって、
前記エンジンの廃熱を熱交換により作動流体に回収する熱交換器、前記熱交換器からの前記作動流体を用いて動力を発生させる膨張機、前記膨張機からの前記作動流体を凝縮させる凝縮器、及び、前記凝縮器からの前記作動流体を前記熱交換器に供給する第１のポンプを含むランキンサイクル回路と、
前記ランキンサイクル回路において前記作動流体が流れる主流路から前記インタークーラに分岐するように構成された分岐流路と、
を備え、
前記インタークーラは、前記分岐流路を介して導入された前記作動流体と前記吸気とを熱交換することにより、前記吸気を冷却することを特徴とする車両用冷却装置。
【請求項２】
前記分岐流路は、前記主流路のうち前記凝縮器の下流側から分岐し、前記インタークーラを介して前記凝縮器の上流側に戻されるように構成されていることを特徴とする請求項１に記載の車両用冷却装置。
【請求項３】
前記エンジンを冷却する冷却水がラジエータを介して循環する冷却水回路を更に備え、
前記凝縮器は、前記ラジエータに対して車両進行方向前方に配置されていることを特徴とする請求項１又は２に記載の車両用冷却装置。
【請求項４】
前記過給機は、前記エンジンの排気通路に設けられたタービンと、前記エンジンの吸気通路に設けられ、前記タービンに連動可能に構成されたコンプレッサとを含み、
前記インタークーラは、前記コンプレッサとエンジンとの間に配置されていることを特徴とする請求項１から３のいずれか１項に記載の車両用冷却装置。
【請求項５】
前記分岐流路は、前記主流路上に設けられたバルブを介して前記主流路に接続されていることを特徴とする請求項１から４のいずれか１項に記載の車両用冷却装置。
【請求項６】
前記主流路のうち前記分岐流路が分岐する分岐点と前記インタークーラとの間に設けられた第２のポンプを備え、
前記バルブは、前記主流路のうち前記第１のポンプより上流側に設けられていることを特徴とする請求項５に記載の車両用冷却装置。
【発明の詳細な説明】
【技術分野】
【０００１】
本開示は、過給機により過給される吸気をインタークーラで冷却するエンジンを有する車両に搭載される車両用冷却装置に関する。
【背景技術】
【０００２】
車両に搭載されるエンジンの排熱回収装置として、ランキンサイクルを利用したものが知られている。ランキンサイクルでは、循環する作動流体を廃熱で加熱し、該加熱された作動流体により膨張機（タービン）を駆動することで、廃熱エネルギを回収することができる。膨張機で仕事を終えた作動流体は凝縮器によって凝縮された後、繰り返し使用される。
【０００３】
また走行用動力源としてエンジンを搭載する車両には、しばしば出力や燃費性能の向上を目的として過給器を備えるものが知られている。過給器は吸気を圧縮することによりエンジンへの空気供給密度を高めることでこれらの目的を達成できるが、過給器によって圧縮加熱された吸気を冷却するインタークーラを備えることにより、エンジンの燃焼効率を向上することができる。インタークーラは外気との熱交換によって吸気を冷却する空冷式が最も普及しているが、近年、液冷媒との熱交換によって吸気を冷却する液冷式の普及も進んでいる。液冷式のインタークーラでは、空冷式に比べて良好な冷却性能が得られるとともに、エンジンへの空気供給密度のエネルギ損失を抑えられる点で優れているが、液冷媒を循環させるための冷媒回路を導入する必要があるため、構造が複雑になり、コストが増加しやすい傾向がある。
【０００４】
近年、車両の燃費性能は重要なスペックの一つとなっており、このようなランキンサイクルやインタークーラを搭載した車両においても更なる性能向上が望まれている。例えば特許文献１には、このような液冷式凝縮器を有するランキンサイクル回路と液冷式インタークーラとを備える車両における効率化に関する技術が開示されている。
【先行技術文献】
【特許文献】
【０００５】
【特許文献１】特開２０１４−２３４８０１号公報
【発明の概要】
【発明が解決しようとする課題】
【０００６】
上記特許文献１のように、液冷式の凝縮器やインタークーラを備える車両では、それぞれの液冷媒が循環する冷却回路を独立的に設けられることが一般的である。しかしながら、このような冷却回路は、循環する液冷媒を冷却するためのラジエータやクーリングファンが必要であるため、全体の装置構成が複雑になってしまう。これによって装置サイズや製造コストが増大するとともに、車内における配置レイアウトの自由度が低くなり、車内の限られたスペースに効率的に配置することが困難になってしまう。
【０００７】
本発明の少なくとも１の実施形態は上述の問題点に鑑みなされたものであり、液冷式のインタークーラや凝縮器を備える車両において、簡易な構成で効率的なエネルギマネジメントが可能な車両用冷却装置を提供することを目的とする。
【課題を解決するための手段】
【０００８】
（１）本発明の少なくとも１実施形態に係る車両用冷却装置は上記課題を解決するために、過給機により過給される吸気をインタークーラで冷却するエンジンを有する車両に搭載される車両用冷却装置であって、前記エンジンの廃熱を熱交換により作動流体に回収する熱交換器、前記熱交換器からの前記作動流体を用いて動力を発生させる膨張機、前記膨張機からの前記作動流体を凝縮させる凝縮器、及び、前記凝縮器からの前記作動流体を前記熱交換器に供給する第１のポンプを含むランキンサイクル回路と、前記ランキンサイクル回路において前記作動流体が流れる主流路から前記インタークーラに分岐するように構成された分岐流路と、を備え、前記インタークーラは、前記分岐流路を介して導入された前記作動流体と前記吸気とを熱交換することにより、前記吸気を冷却する。
【０００９】
上記（１）の構成によれば、ランキンサイクル回路の作動流体を、分岐流路を介してインタークーラに導入することで、インタークーラの液冷媒として利用する。これにより、ランキンサイクル回路とは独立にインタークーラ用の冷却回路を設ける場合に比べて、簡潔な構成で液冷式インタークーラを構成することができる。その結果、冷却装置がコンパクト化することにより、車両に搭載する際のレイアウト自由度を向上できるとともに、冷却装置の導入コストを抑制できる。
【００１０】
（２）幾つかの実施形態では、上記（１）の構成において、前記分岐流路は、前記主流路のうち前記凝縮器の下流側から分岐し、前記インタークーラを介して前記凝縮器の上流側に戻されるように構成されている。
【００１１】
上記（２）の構成によれば、凝縮器の下流側に分岐流路を設けることにより、主流路を流れる作動流体のうち比較的低温な作動流体を、分岐流路を介してインタークーラに導入できる。これにより、インタークーラで良好な冷却性能が得られる。またインタークーラで吸気と熱交換後の作動流体は凝縮器の上流側に戻されることにより、再度凝縮器にて凝縮されることで、良好な熱効率が得られる。
【００１２】
（３）幾つかの実施形態では、上記（１）又は（２）の構成において、前記エンジンを冷却する冷却水がラジエータを介して循環する冷却水回路を更に備え、前記凝縮器は、前記ラジエータに対して車両進行方向前方に配置されている。
【００１３】
上記（３）の構成によれば、ランキンサイクル回路を構成する凝縮器が、ラジエータに対して車両進行方向前方に配置される。上述したように、本実施形態に係る冷却装置はコンパクトな構成で実現可能であるため、車内スペースが限られている場合であっても比較的高いレイアウト自由度が得られる。そのため、このような凝縮器の配置が可能となる。これにより、凝縮器の外気（例えば車両走行時に受ける走行風）との熱交換を促進することができ、凝縮器にて良好な冷却性能が得られる。その結果、ランキンサイクル回路の排熱回収効率やインタークーラの冷却性能を向上できる。
【００１４】
（４）幾つかの実施形態では、上記（１）から（３）のいずれか１構成において、前記過給機は、前記エンジンの排気通路に設けられたタービンと、前記エンジンの吸気通路に設けられ、前記タービンに連動可能に構成されたコンプレッサとを含み、前記インタークーラは、前記コンプレッサとエンジンとの間に配置されている。
【００１５】
上記（４）の構成によれば、インタークーラをコンプレッサ及びエンジン間に配置することにより、コンプレッサ及びインタークーラ間の距離、並びに、インタークーラ及びエンジン間の距離を短くすることができるので、エンジンの吸気系における熱効率を効果的に向上できる。
【００１６】
（５）幾つかの実施形態では、上記（１）から（４）のいずれか１構成において、前記分岐流路は、前記主流路上に設けられたバルブを介して前記主流路に接続されている。
【００１７】
上記（５）の構成によれば、ランキンサイクル回路を流れる作動流体は、主流路上に設けられたバルブ（例えば三方弁のような多方弁）によって分岐流路に分岐可能に構成される。このようなバルブの開閉状態（或いは開度）によって、主流路及び分岐流路における作動流体の流量を調整することにより、ランキンサイクル回路における排熱回収効率やインタークーラの冷却性能を考慮したエネルギマネジメントが可能となる。
【００１８】
（６）幾つかの実施形態では、上記（５）の構成において、前記主流路のうち前記分岐流路が分岐する分岐点と前記インタークーラとの間に設けられた第２のポンプを備え、前記バルブは、前記主流路のうち前記第１のポンプより上流側に設けられている。
【００１９】
上記（６）の構成によれば、バルブが第１のポンプの上流側に設けられることにより、第１のポンプの通過前の作動流体（すなわち、第１のポンプにおける圧損の影響を受けていない作動流体）が分岐流路に導入でき、より良好なエネルギ効率を達成できる。
また、上記（６）の構成によれば、分岐点とインタークーラとの間に第２のポンプを備えることにより、主流路における作動流体の流量を第１のポンプで制御するとともに、分岐流路における作動流体の流量を第２のポンプで制御することが可能となる。すなわち、第１のポンプ及び第２のポンプによって、主流路及び分岐流路における作動流体の流量を独立的に精度よく調整することができる。これにより、例えば、車両が低速走行時や停車時等において十分な廃熱の回収が見込めない場合、第１のポンプを停止し、第２のポンプによりインタークーラのみを駆動させる等、ランキンサイクル回路の廃熱回収効率やインタークーラの冷却性能を考慮したエネルギマネジメントをより柔軟に実施することができる。
【発明の効果】
【００２０】
本発明の少なくとも１実施形態によれば、液冷式のインタークーラや凝縮器を備える車両において、簡易な構成で効率的なエネルギマネジメントが可能な車両用冷却装置を提供できる。
【図面の簡単な説明】
【００２１】
【図１】本発明の一実施形態に係る車両用冷却装置の全体構成を示す模式図である。
【図２】参考例に係る車両用冷却装置の全体構成を示す模式図である。
【図３】図１の分岐流路近傍における変形例を示す模式図である。
【図４】図１の分岐流路近傍における他の変形例を示す模式図である。
【発明を実施するための形態】
【００２２】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２３】
図１は本発明の一実施形態に係る車両用冷却装置の全体構成を示す模式図であり、図２は参考例に係る車両用冷却装置の全体構成を示す模式図であり、図３は図１の分岐流路近傍における変形例を示す模式図であり、図４は図１の分岐流路近傍における他の変形例を示す模式図である。
【００２４】
車両１は走行用動力源としてエンジン２を備える。エンジン２は化石燃料の燃焼によって動力を出力可能な内燃機関であり、図１では、エンジン２として４シリンダディーゼルエンジンが例示されている。エンジン２は、外気を吸気通路４から取り込んで不図示の燃料噴射装置から供給される燃料と混合して燃焼を行った後、排気通路６から排ガスを外部に排出する。
【００２５】
本実施形態では、エンジン２には、出力向上を目的として過給器８が搭載されている。過給器８は、吸気通路４に設けられたコンプレッサ１０と、排気通路６に設けられたタービン１２とを備える。コンプレッサ１０及びタービン１２は互いに連動して駆動するように構成されており、エンジン２の排ガスによってタービン１２が駆動されると、コンプレッサ１０がタービン１２と連動して駆動することにより、吸気通路４にて過給が行われる。
【００２６】
また吸気通路４のうちコンプレッサ１０の下流側には、該コンプレッサ１０によって過給された高温の吸気を冷却するためのインタークーラ１４が設けられている。インタークーラ１４は、冷却用冷媒として後述するランキンサイクル回路の作動流体を利用する液冷式インタークーラであり、高温の吸気を冷却する。このような液冷式インタークーラは、外気との熱交換によって吸気を冷却する空冷式インタークーラに比べて、良好な冷却性能が得られるとともに、エンジンへの空気供給密度のエネルギ損失を抑えられる点で優れている。
【００２７】
またエンジン２は冷却用の冷媒（冷却水）を循環供給するための冷却水回路１６を備える。冷却水回路１６には、冷却水を圧送するための冷却水ポンプ１８と、エンジン２から廃熱エネルギを受け取ることによって高温となった冷却水を外気と熱交換するためのラジエータ２０とが設けられている。ラジエータ２０は車両１の進行方向前方側に設けられており、車両１の走行時に前方から走行風を受けることによって熱交換が促進されるように構成されている。
【００２８】
またラジエータ２０に導入される外気量は、上述した走行風の他に、エンジン２の動力の一部を利用して作動可能なラジエータファン２２によって可変に構成されている。ラジエータファン２２の作動状態はアクティブ制御されており、例えば冷却水回路１６を流れる冷却水温度が予め設定された適切な温度範囲になるように制御される。
【００２９】
冷却水回路１６のうち冷却水ポンプ１８の入口近傍とラジエータ２０の出口近傍との間には、冷却水回路１６に並行するように分岐されたバイパス回路２４が設けられている。バイパス回路２４にはラジエータ２０で冷却される前の高温の冷却水が冷却水回路１６から分岐して流れ込み、ランキンサイクル回路２６を構成する蒸発器２８に導かれる。
【００３０】
蒸発器２８は、バイパス回路２４を流れる冷却水とランキンサイクル回路２６を流れる作動流体との間で熱交換可能に構成された熱交換器であり、高温の冷却水によってランキンサイクル回路２６を流れる作動流体が加熱される（言い換えると、冷却水に含まれるエンジン２の廃熱エネルギがランキンサイクル回路２６に回収される）。
【００３１】
ランキンサイクル回路２６は、作動流体が流れる主流路２７上に蒸発器２８、膨張機３０、凝縮器３２及び第１のポンプ３４を備える構成を有している。ランキンサイクル回路２６を流れる作動流体は、上述したように蒸発器２８で加熱されることにより蒸発（気化）させられる。その後、作動流体は膨張機３０によって膨張される。このとき膨張機３０では、作動流体の膨張による仕事によってタービン（不図示）が駆動される。これにより、冷却水から作動流体が受け取った廃熱エネルギが機械的エネルギに変換されることとなる。
【００３２】
膨張機３０から出力される機械的エネルギは、タービンの回転軸３６に連結された発電機３８に伝達される。発電機３８では、受け取った機械的エネルギによって発電が行われ、発生した電力は車内の電力需要に応じて、各種電気負荷或いは蓄電用のバッテリに供給される。
【００３３】
膨張機３０で仕事を終えた作動流体は、凝縮器３２によって凝縮（液化）された後、第１のポンプ３４によって圧送されることにより再び蒸発器２８に戻される。
【００３４】
ここでランキンサイクル回路２６には、作動流体が流れる主流路２７からインタークーラ１４に分岐するように構成された分岐流路４０が備えられている。インタークーラ１４は、分岐流路４０を介して導入された作動流体と吸気とを熱交換することにより、吸気を冷却する液冷式インタークーラとして構成されている。このような構成は、インタークーラ１４で冷却対象たる吸気と熱交換させられる液冷媒として、ランキンサイクル回路２６を流れる作動流体を利用するため、例えばランキンサイクル回路２６や冷却水回路１６とは独立した新たな冷媒回路を構築する場合に比べて、簡易な構成で良好な冷却性能が得られる。
【００３５】
また、このような構成は分岐流路４０の設置という簡易な工夫によって実現可能であるため、既存のランキンサイクル回路を搭載した車両に対する設計変更が少なく済み、装置サイズのコンパクト化も図ることができる。それに伴い、冷却装置を車両に搭載する際のレイアウト自由度もまた向上し、より安価なコストで導入が可能となる。
【００３６】
ここで車両１における冷却装置のレイアウトに関して、図２に示される参考例と比較して説明する。図２に示される参考例では、上述の本実施形態に係る冷却装置と同様の構成要素について共通の符号を付すこととし、重複する説明は適宜省略する。
【００３７】
参考例では、図１の本実施形態で用いられている液冷式のインタークーラ１４に代えて、空冷式のインタークーラ１４’が用いられている。インタークーラ１４’は空冷によって冷却性能を発揮するために車両進行方向前方側に配置されることにより、車両１の走行時に走行風が受けられるように構成されている。空冷式のインタークーラ１４’は、一般的に同等規模の液冷式に比べて冷却性能が劣る傾向にある。そこで、参考例においてインタークーラ１４’を液冷化しようとすると、インタークーラ１４’の冷却用に用いる液冷媒が循環する冷媒回路（配管やポンプなど）を追加的に設ける必要があるが、一般的に、車両１の進行方向前方側は配置スペースが十分に余っておらず、レイアウト上の困難が伴う。それに対し、本実施形態に係る冷却装置は上記構成によってコンパクト化を図ることができるため、このような限られたスペースに対してもレイアウト自由度が高く、効率的に配置することができる。
【００３８】
また本実施形態ではインタークーラ１４が液冷式であるため、図２の空冷式のインタークーラ１４’のように車両１の進行方向前方側に配置する必要がなくなる。そのため、図１に示されるようにインタークーラ１４をエンジン２とコンプレッサとの間に配置することも可能となる。このような構成は、参考例に比べてインタークーラ１４周辺の吸気通路４を短くすることができ（すなわち、コンプレッサ１０及びインタークーラ１４間の距離、並びに、インタークーラ１４及びエンジン２間の距離を短くすることができ）、エンジン２の吸気系における熱効率を効果的に向上できる。
【００３９】
また分岐流路４０は、主流路２７のうち凝縮器３２の下流側から分岐し、インタークーラ１４を介して凝縮器３２の上流側に戻されるように構成されている。このように凝縮器３２の下流側に分岐流路４０を設けることにより、主流路２７を流れる作動流体のうち比較的低温な作動流体を、分岐流路４０を介してインタークーラ１４に導入できる。これにより、インタークーラ１４で良好な冷却性能が得られる。またインタークーラ１４で吸気と熱交換後の作動流体は凝縮器３２の上流側に戻されることにより、再度凝縮器３２にて凝縮されることで、良好な熱効率が得られる。
【００４０】
分岐流路４０は、主流路２７上に設けられた第１のバルブ４２及び第２のバルブ４４を介して主流路２７に接続されている。第１のバルブ４２及び第２のバルブ４４は三方弁であり、それぞれ凝縮器３２の下流側及び上流側に配置されている。主流路２７から分岐流路４０に導入される作動流体の流量は、第１のバルブ４２及び第２のバルブ４４の開閉状態（或いは開度）によって調整されるように構成されている。このように分岐流路における作動流体の流量を可変とすることで、ランキンサイクル回路２６で利用される作動流体とインタークーラ１４で利用される作動流体との比率を調整することが可能となり、ランキンサイクル回路における排熱回収効率やインタークーラの冷却性能を考慮したエネルギマネジメントが可能となる。
【００４１】
尚、本実施形態では凝縮器３２の下流側及び蒸留側にそれぞれ第１のバルブ４２及び第２のバルブ４４を設けた場合を例示しているが、第２のバルブ４４は任意であってもよい。この場合、図１の例では第１のバルブ４２の開度を調整することによって、主流路２７から分岐流路４０に導入される作動流体の流量を制御するとよい。
【００４２】
ここで第１のバルブ４２は、主流路２７のうち第１のポンプ３４より上流側に設けられている。これにより、第１のポンプ３４の通過前の作動流体（すなわち、第１のポンプ３４における圧損の影響を受けていない作動流体）を分岐流路４０に導入することができ、より良好なエネルギ効率を達成できる。
【００４３】
また図３に示されるように、主流路２７のうち分岐流路４０が分岐する分岐点４８とインタークーラ１４との間に第２のポンプ４６が設けられていてもよい。このように、分岐点４８とインタークーラ１４との間に第２のポンプ４６を備えることにより、主流路２７における作動流体の流量を第１のポンプ３４で制御するとともに、分岐流路４０における作動流体の流量を第２のポンプ４６で制御することが可能となる。すなわち、第１のポンプ３４及び第２のポンプ４６によって、主流路２７及び分岐流路４０における作動流体の流量を独立的に精度よく調整することができる。これにより、ランキンサイクル回路２６の廃熱回収効率やインタークーラ１４の冷却性能を考慮したエネルギマネジメントをより柔軟に実施することができる。
【００４４】
上述構成を有する冷却装置は、例えば車両１のコントロールユニットであるECU（Electric Control Unit）によって適宜制御される。例えば、主流路や分岐流路に設けられたバルブやポンプの動作を制御することにより、ランキンサイクル回路２６及びインタークーラに供給される作動流体の割合を調整することにより、ランキンサイクル回路２６における排熱回収効率とインタークーラの冷却性能とのバランスを考慮したエネルギマネジメントが可能となる。
【００４５】
以上説明したように本実施形態によれば、液冷式のインタークーラや凝縮器を備える車両において、簡易な構成で効率的なエネルギマネジメントが可能な車両用冷却装置を提供できる。
【産業上の利用可能性】
【００４６】
本開示は、過給機により過給される吸気をインタークーラで冷却するエンジンを有する車両に搭載される車両用冷却装置に利用可能である。
【符号の説明】
【００４７】
１  車両
２  エンジン
４  吸気通路
６  排気通路
８  過給器
１０  コンプレッサ
１２  タービン
１４  インタークーラ
１６  冷却水回路
１８  冷却水ポンプ
２０  ラジエータ
２２  ラジエータファン
２４  バイパス回路
２６  ランキンサイクル回路
２８  蒸発器
３０  膨張機
３２  凝縮器
３４  第１のポンプ
３６  回転軸
３８  発電機
４０  分岐流路
４２  第１のバルブ
４４  第２のバルブ
４６  第２のポンプ
【図１】
2017101566.tif 000003
【図２】
2017101566.tif 000004
【図３】
2017101566.tif 000005
【図４】
2017101566.tif 000006